(57)【要約】【課題】不使用時等において容器が横向きや倒立姿勢とされても、内容液がノズルから漏れ出すことを確実に防止することができる泡噴出容器を提供することである。【解決手段】容器本体１０の口部１１に装着される装着キャップ２０にノズル４６を備えたノズルヘッド４０を開位置と閉位置との間で回動自在に装着し、装着キャップ２０に設けられた排出孔２８とノズル４６との間に、ノズルヘッド４０が開位置のときに排出孔２８とノズル４６とを連通し、ノズルヘッド４０が閉位置とされると排出孔２８とノズル４６との連通を遮断する排出側開閉機構６０を設け、ノズルヘッド４０に設けられた戻し流路４８と装着キャップ２０に設けられた戻し孔２９との間に、ノズルヘッド４０が開位置のときにノズル４６と戻し孔２９とを連通し、ノズルヘッド４０が閉位置とされるとノズル４６と戻し孔２９との連通を遮断する戻し側開閉機構６３を設ける。【選択図】図１
2015196508.tif 000002
【特許請求の範囲】
【請求項１】
可撓性を有する胴部を備え、内部が内容液の収容空間となる容器本体と、
内容液の排出孔および戻し孔を備え、前記容器本体の口部に装着される装着キャップと、
有底筒状に形成され、前記装着キャップの内側に設けられて前記排出孔に連なる混合室を区画形成するとともに該混合室と容器本体内とを連ねる空気導入孔および液導入孔を備える区画部材と、
前記排出孔に連なるノズルおよび該ノズルと前記戻し孔とを連ねる戻し流路を備え、前記装着キャップに装着されるノズルヘッドと、
前記容器本体内から前記戻し孔を通した前記ノズルへの空気の流れを規制するとともに、前記ノズルから前記戻し孔を通した前記容器本体内への空気の流れを許容する逆止弁と、を有し、
前記胴部のスクイズにより、前記液導入孔から前記混合室に導入される内容液を前記空気導入孔から導入される空気と混合して発泡させて前記ノズルから泡状に噴出させるとともに、前記胴部のスクイズが解除されると、前記ノズル内に残った内容液を空気とともに前記容器本体内に向けて引き込む泡噴出容器であって、
前記ノズルヘッドが前記装着キャップに対して開位置と閉位置との間で回動自在とされており、
前記排出孔と前記ノズルとの間に、前記ノズルヘッドが開位置のときに前記排出孔と前記ノズルとを連通し、前記ノズルヘッドが閉位置とされると前記排出孔と前記ノズルとの連通を遮断する排出側開閉機構が設けられ、
前記戻し流路と前記戻し孔との間に、前記ノズルヘッドが開位置のときに前記ノズルと前記戻し孔とを連通し、前記ノズルヘッドが閉位置とされると前記ノズルと前記戻し孔との連通を遮断する戻し側開閉機構が設けられていることを特徴とする泡噴出容器。
【請求項２】
前記排出側開閉機構は、
前記装着キャップに設けられ、前記ノズルヘッドの側に向けて突出する排出側切替え軸と、
前記装着キャップの前記排出側切替え軸の外側に該排出側切替え軸と同軸に設けられる排出側シール筒部と、
前記ノズルヘッドに設けられ、前記排出側切替え軸と前記排出側シール筒部との間に回動自在に嵌合する排出側切替え筒部と、を有し、
前記排出孔が前記排出側切替え軸と前記排出側シール筒部との間に開口し、
前記排出側切替え軸および前記排出側切替え筒部の何れか一方に、軸方向に延びるとともに前記ノズル側の端部で開放される第１排出側切欠き部が設けられるとともに、前記排出側切替え軸および前記排出側切替え筒部の何れか他方に、軸方向に向けて前記第１排出側切欠き部と一部が重複する所定長さで延びるとともに前記排出孔の側で開放される第２排出側切欠き部が設けられ、
前記ノズルヘッドが開位置のときに前記第１排出側切欠き部と前記第２排出側切欠き部とが接続されて前記排出孔と前記ノズルとが連通され、
前記ノズルヘッドが閉位置のときに前記第１排出側切欠き部と前記第２排出側切欠き部とが互いに周方向にずれて前記排出孔と前記ノズルとの連通が遮断される請求項１に記載の泡噴出容器。
【請求項３】
前記戻し側開閉機構は、
前記装着キャップに設けられ、前記ノズルヘッドの側に向けて突出する円筒状の第１戻し側切替え筒部と、
前記装着キャップの前記第１戻し側切替え筒部の外側に該第１戻し側切替え筒部と同軸に設けられる戻し側シール筒部と、
前記ノズルヘッドに設けられ、前記第１戻し側切替え筒部と前記戻し側シール筒部との間に回動自在に嵌合するとともに内側に前記戻し流路を区画形成する円筒状の第２戻し側切替え筒部と、を有し、
前記戻し孔が前記第１戻し側切替え筒部と前記戻し側シール筒部との間に開口し、
前記第１戻し側切替え筒部および前記第２戻し側切替え筒部の何れか一方に、軸方向に延びるとともに前記ノズル側の端部で開放される第１戻し側切欠き部が設けられるとともに、前記第１戻し側切替え筒部および前記第２戻し側切替え筒部の何れか他方に、軸方向に向けて前記第１戻し側切欠き部と一部が重複する所定長さで延びるとともに前記戻し孔の側で開放される第２戻し側切欠き部が設けられ、
前記ノズルヘッドが開位置のときに前記第１戻し側切欠き部と前記第２戻し側切欠き部とが接続されて前記ノズルと前記戻し孔とが連通され、
前記ノズルヘッドが閉位置のときに前記第１戻し側切欠き部と前記第２戻し側切欠き部とが互いに周方向にずれて前記ノズルと前記戻し孔との連通が遮断される請求項１または２に記載の泡噴出容器。
【請求項４】
前記装着キャップに設けられ、互いに周方向にずれて配置される開側ストッパおよび閉側ストッパと、
前記ノズルヘッドに設けられ、該ノズルヘッドが閉位置から開位置にまで回動したときに前記開側ストッパに当接する開側当接片と、
前記ノズルヘッドに設けられ、該ノズルヘッドが開位置から閉位置にまで回動したときに前記閉側ストッパに当接する閉側当接片と、を有する請求項１〜３の何れか１項に記載の泡噴出容器。
【請求項５】
前記装着キャップに前記開側ストッパに隣接して設けられ、前記開側当接片が乗越え可能であるとともに前記ノズルヘッドが開位置となったときに前記開側ストッパとの間で前記開側当接片を係止する開側乗越え突起と、
前記装着キャップに前記閉側ストッパに隣接して設けられ、前記閉側当接片が乗越え可能であるとともに前記ノズルヘッドが閉位置となったときに前記閉側ストッパとの間で前記閉側当接片を係止する閉側乗越え突起と、を有する請求項４記載の泡噴出容器。
【請求項６】
前記装着キャップおよび前記ノズルヘッドの何れか一方に設けられる薄板状の音出し片と、
前記装着キャップおよび前記ノズルヘッドの何れか他方に設けられ、前記ノズルヘッドが前記装着ヘッドに対して回動されたときに前記音出し片に当接して該音出し片を弾く音出しリブと、を有する請求項１〜５の何れか１項に記載の泡噴出容器。
【請求項７】
前記混合室と前記排出孔との間に発泡部材が配置される請求項１〜６の何れか１項に記載の泡噴出容器。
【発明の詳細な説明】
【技術分野】
【０００１】
本発明は、容器本体の胴部を圧搾（スクイズ）することにより、容器本体に収容された内容液を空気と混合して発泡させてノズルから泡状に噴出させる泡噴出容器に関する。
【背景技術】
【０００２】
シャンプー、ボディソープ、ハンドソープ、洗顔料等の各種液体洗浄剤や整髪剤等の内容液を収容する容器としては、泡立て動作を省略して簡便な利用を図る観点から、容器本体に収容した内容液をノズルから泡状に噴出させるようにした泡噴出容器が多く用いられている。
【０００３】
例えば特許文献１には、内容液の排出流路に内容液を空気と混合させる混合室を設けるとともに該排出流路に例えばメッシュ等からなる発泡部材を組み入れておき、容器本体の胴部を圧搾することで、内容液を空気と混合させつつ発泡部材を通過させて泡状に発泡させ、ノズルから噴出させるようにした泡噴出容器が記載されている。
【０００４】
また、上記のような泡噴出容器としては、使用後にノズルの内部に残留した泡状の内容液が時間の経過と共に液化してノズルの先端から垂れ落ちることを防止するために、所謂サックバック機能を持たせるようにしたものが知られている。このようなサックバック機能は、ノズルと容器本体との間に排出流路とは別に内容液の戻し流路を設けるとともに、この戻し流路に、容器本体内からノズルへ向けた内容液の流れを規制するとともにノズルから容器本体内へ向けた内容液の流れを許容する逆止弁を設けた構成とされるのが一般的である。
【先行技術文献】
【特許文献】
【０００５】
【特許文献１】実開昭５８−１７４２７２号公報
【発明の概要】
【発明が解決しようとする課題】
【０００６】
上記従来の泡噴出容器では、ノズルは排出流路を介して容器本体の内部に連通しているので、不使用時等において容器が横向きや倒立姿勢とされると、容器本体内の内容液が排出流路を介してノズルから外部に漏れ出すおそれがあった。また、戻し流路を設けた場合には、容器本体内の内容液が戻し流路を介してもノズルから外部に漏れ出すおそれがあった。
【０００７】
本発明は、このような点を解決することを課題とするものであり、その目的は、不使用時等において容器が横向きや倒立姿勢とされても、内容液がノズルから漏れ出すことを確実に防止することができる泡噴出容器を提供することにある。
【課題を解決するための手段】
【０００８】
本発明の泡噴出容器は、可撓性を有する胴部を備え、内部が内容液の収容空間となる容器本体と、内容液の排出孔および戻し孔を備え、前記容器本体の口部に装着される装着キャップと、有底筒状に形成され、前記装着キャップの内側に設けられて前記排出孔に連なる混合室を区画形成するとともに該混合室と容器本体内とを連ねる空気導入孔および液導入孔を備える区画部材と、前記排出孔に連なるノズルおよび該ノズルと前記戻し孔とを連ねる戻し流路を備え、前記装着キャップに装着されるノズルヘッドと、前記容器本体内から前記戻し孔を通した前記ノズルへの空気の流れを規制するとともに、前記ノズルから前記戻し孔を通した前記容器本体内への空気の流れを許容する逆止弁と、を有し、前記胴部のスクイズにより、前記液導入孔から前記混合室に導入される内容液を前記空気導入孔から導入される空気と混合して発泡させて前記ノズルから泡状に噴出させるとともに、前記胴部のスクイズが解除されると、前記ノズル内に残った内容液を空気とともに前記容器本体内に向けて引き込む泡噴出容器であって、前記ノズルヘッドが前記装着キャップに対して開位置と閉位置との間で回動自在とされており、前記排出孔と前記ノズルとの間に、前記ノズルヘッドが開位置のときに前記排出孔と前記ノズルとを連通し、前記ノズルヘッドが閉位置とされると前記排出孔と前記ノズルとの連通を遮断する排出側開閉機構が設けられ、前記戻し流路と前記戻し孔との間に、前記ノズルヘッドが開位置のときに前記ノズルと前記戻し孔とを連通し、前記ノズルヘッドが閉位置とされると前記ノズルと前記戻し孔との連通を遮断する戻し側開閉機構が設けられていることを特徴とする。
【０００９】
本発明は、上記構成において、前記排出側開閉機構は、前記装着キャップに設けられ、前記ノズルヘッドの側に向けて突出する排出側切替え軸と、前記装着キャップの前記排出側切替え軸の外側に該排出側切替え軸と同軸に設けられる排出側シール筒部と、前記ノズルヘッドに設けられ、前記排出側切替え軸と前記排出側シール筒部との間に回動自在に嵌合する排出側切替え筒部と、を有し、前記排出孔が前記排出側切替え軸と前記排出側シール筒部との間に開口し、前記排出側切替え軸および前記排出側切替え筒部の何れか一方に、軸方向に延びるとともに前記ノズル側の端部で開放される第１排出側切欠き部が設けられるとともに、前記排出側切替え軸および前記排出側切替え筒部の何れか他方に、軸方向に向けて前記第１排出側切欠き部と一部が重複する所定長さで延びるとともに前記排出孔の側で開放される第２排出側切欠き部が設けられ、前記ノズルヘッドが開位置のときに前記第１排出側切欠き部と前記第２排出側切欠き部とが接続されて前記排出孔と前記ノズルとが連通され、前記ノズルヘッドが閉位置のときに前記第１排出側切欠き部と前記第２排出側切欠き部とが互いに周方向にずれて前記排出孔と前記ノズルとの連通が遮断されるのが好ましい。
【００１０】
本発明は、上記構成において、前記戻し側開閉機構は、前記装着キャップに設けられ、前記ノズルヘッドの側に向けて突出する円筒状の第１戻し側切替え筒部と、前記装着キャップの前記第１戻し側切替え筒部の外側に該第１戻し側切替え筒部と同軸に設けられる戻し側シール筒部と、前記ノズルヘッドに設けられ、前記第１戻し側切替え筒部と前記戻し側シール筒部との間に回動自在に嵌合するとともに内側に前記戻し流路を区画形成する円筒状の第２戻し側切替え筒部と、を有し、前記戻し孔が前記第１戻し側切替え筒部と前記戻し側シール筒部との間に開口し、前記第１戻し側切替え筒部および前記第２戻し側切替え筒部の何れか一方に、軸方向に延びるとともに前記ノズル側の端部で開放される第１戻し側切欠き部が設けられるとともに、前記第１戻し側切替え筒部および前記第２戻し側切替え筒部の何れか他方に、軸方向に向けて前記第１戻し側切欠き部と一部が重複する所定長さで延びるとともに前記戻し孔の側で開放される第２戻し側切欠き部が設けられ、前記ノズルヘッドが開位置のときに前記第１戻し側切欠き部と前記第２戻し側切欠き部とが接続されて前記ノズルと前記戻し孔とが連通され、前記ノズルヘッドが閉位置のときに前記第１戻し側切欠き部と前記第２戻し側切欠き部とが互いに周方向にずれて前記ノズルと前記戻し孔との連通が遮断されるのが好ましい。
【００１１】
本発明は、上記構成において、前記装着キャップに設けられ、互いに周方向にずれて配置される開側ストッパおよび閉側ストッパと、前記ノズルヘッドに設けられ、該ノズルヘッドが閉位置から開位置にまで回動したときに前記開側ストッパに当接する開側当接片と、前記ノズルヘッドに設けられ、該ノズルヘッドが開位置から閉位置にまで回動したときに前記閉側ストッパに当接する閉側当接片と、を有するのが好ましい。
【００１２】
本発明は、上記構成において、前記装着キャップに前記開側ストッパに隣接して設けられ、前記開側当接片が乗越え可能であるとともに前記ノズルヘッドが開位置となったときに前記開側ストッパとの間で前記開側当接片を係止する開側乗越え突起と、前記装着キャップに前記閉側ストッパに隣接して設けられ、前記閉側当接片が乗越え可能であるとともに前記ノズルヘッドが閉位置となったときに前記閉側ストッパとの間で前記閉側当接片を係止する閉側乗越え突起と、を有するのが好ましい。
【００１３】
本発明は、上記構成において、前記装着キャップおよび前記ノズルヘッドの何れか一方に設けられる薄板状の音出し片と、前記装着キャップおよび前記ノズルヘッドの何れか他方に設けられ、前記ノズルヘッドが前記装着ヘッドに対して回動されたときに前記音出し片に当接して該音出し片を弾く音出しリブと、を有するのが好ましい。
【００１４】
本発明は、上記構成において、前記混合室と前記排出孔との間に発泡部材が配置されるのが好ましい。
【発明の効果】
【００１５】
本発明によれば、ノズルヘッドを閉位置にまで回動させることにより、装着キャップに設けられた排出孔および戻し孔のノズルに対する連通を遮断することができるので、ノズルヘッドを開位置から閉位置に回動させるだけの簡単な操作で、容器本体をノズルに対して閉塞させることができる。これにより、不使用時等において容器が横向きや倒立姿勢とされても、容器本体内の内容液がノズルを通して外部に漏れ出すことを確実に防止することができる。
【図面の簡単な説明】
【００１６】
【図１】本発明の一実施の形態である泡噴出容器の、ノズルヘッドが開位置とされた状態における側面図を、その要部を断面として示した図である。
【図２】図１の要部を拡大して示す拡大断面図である。
【図３】図２におけるＡ−Ａ線に沿う断面図である。
【図４】（ａ）は図３に示す一方のストッパ部分を拡大して示す拡大断面図であり、（ｂ）は同図（ａ）におけるＢ−Ｂ線に沿う断面図である。
【図５】図２に対応した部位のノズルヘッドが閉位置とされた状態の拡大断面図である。
【図６】図５におけるＣ−Ｃ線に沿う断面図である。
【発明を実施するための形態】
【００１７】
以下、図面を参照して本発明をより詳細に例示説明する。
【００１８】
図１に示す本発明の一実施の形態である泡噴出容器１は、スクイズフォーマーとも呼ばれるものであり、シャンプー、ボディソープ、ハンドソープ、洗顔料等の各種液体洗浄剤や整髪剤等の内容液を収容するとともに、当該内容液を泡状に噴出させるものである。
【００１９】
図１、図２に示すように、この泡噴出容器１は容器本体１０を備えている。容器本体１０は上部を開口させた円筒状の口部１１とこの口部１１に連なる楕円筒状の胴部１２とを備え、その内部は内容液を収容する収容空間Ｓとなっている。この容器本体１０は合成樹脂製となっており、その胴部１２は可撓性を有し、胴部１２を圧搾（スクイズ）することにより収容空間Ｓを減容させることができるようになっている。
【００２０】
容器本体１０の口部１１には、樹脂製の装着キャップ２０が装着されている。図２に示すように、この装着キャップ２０は、容器本体１０の口部１１を取り囲む円筒状の外周壁２１とこの外周壁２１に連なる天壁２２とを備えた有頂筒状に形成されている。外周壁２１の内周面には係止爪２１ａが設けられ、この係止爪２１ａが容器本体１０の口部１１の外周面に設けられた環状の係止突起１１ａにアンダーカット係合することにより、装着キャップ２０は口部１１に固定されている。また、外周壁２１の内側にはシール筒部２３が同軸且つ一体に設けられ、このシール筒部２３が口部１１の内周面に嵌め込まれることで、装着キャップ２０と口部１１との嵌合部分がシールされて当該部分からの液漏れが防止されるようになっている。
【００２１】
容器本体１０の口部１１の外周面には軸方向に沿って延びる回り止めリブ１１ｂが一体に設けられている。一方、装着キャップ２０の外周壁２１の内周面には、軸方向に沿って延びる係止片２１ｂが一体に設けられており、この係止片２１ｂが回り止めリブ１１ｂに係合することにより、装着キャップ２０は容器本体１０の口部１１に対して回り止めされている。
【００２２】
図２に示すように、装着キャップ２０の天壁２２の容器本体１０の収容空間Ｓの側を向く下面には、口部１１の軸線上に位置して円筒状の接続筒部２４が一体に設けられ、この接続筒部２４の下方には区画部材２５が装着されている。例えば樹脂製とされる区画部材２５は、接続筒部２４の外径に対応した内径の円筒状の本体部２５ａと、本体部２５ａの下端に嵌合固定される孔形成部２５ｂとを備えた有底筒状に形成され、その内側（内部）は混合室２５ｃとなっている。孔形成部２５ｂは、本体部２５ａの下端開口に空気導入孔２５ｄと液導入孔２５ｅとを区画形成している。空気導入孔２５ｄは混合室２５ｃを容器本体１０の内部（収容空間Ｓ）に連通させており、容器本体１０内の空気を混合室２５ｃに導入することができる。一方、液導入孔２５ｅには容器本体１０の底部にまで延びるチューブ２６が接続されており、液導入孔２５ｅは当該チューブ２６を介して混合室２５ｃを容器本体１０の内部（収容空間Ｓ）に連通させて、容器本体１０内の内容液をチューブ２６を介して混合室２５ｃに導入することができるようになっている。
【００２３】
なお、孔形成部２５ｂには空気導入孔２５ｄからの内容液の侵入を抑制するための傘状体２５ｆが一体に設けられている。
【００２４】
図２に示すように、接続筒部２４の内部には一対の発泡部材２７が装着されている。これらの発泡部材２７としては、例えばリングの端面にメッシュを固定した構成のものが用いられ、互いのメッシュを逆側に向けた姿勢で接続筒部２４の内側に嵌合固定されている。なお、発泡部材２７としてはリングとメッシュを備えた構造のものに限らず、内容液の種類等に応じて種々の構成のものを用いることができる。また、発泡部材２７の設置個数も内容液の種類等に応じて種々変更することができる。
【００２５】
図２に示すように、装着キャップ２０の天壁２２には内容液の排出孔２８が設けられている。この排出孔２８は接続筒部２４の内部を介して混合室２５ｃに連通している。また、装着キャップ２０の天壁２２には、排出孔２８よりも径方向外側に位置して戻し孔２９が設けられている。この戻し孔２９は容器本体１０の内部に向けて開口している。
【００２６】
図２に示すように、装着キャップ２０の裏面には、戻し孔２９を開閉する逆止弁３０が設けられている。この逆止弁３０は装着キャップ２０の弁保持筒の外周に嵌合固定される円筒状の保持部３０ａと、この保持部３０ａの外周から径方向外側に延びる環状且つ膜状のシール部３０ｂとを有し、このシール部３０ｂの外周縁が装着キャップ２０の内面に弾性的に当接している。この逆止弁３０は、容器本体１０内から戻し孔２９を通した容器本体１０の外部への空気や内容液の流れを規制するとともに、容器本体１０の外部から戻し孔２９を通した容器本体１０内への空気や内容液の流れを許容するように作動する。
【００２７】
図１に示すように、装着キャップ２０には、その天壁２２を覆うノズルヘッド４０が装着されている。ノズルヘッド４０は、例えば樹脂製とすることができる。図２、図３に示すように、このノズルヘッド４０は、装着キャップ２０の外周壁２１と同等の外径を有する円筒状のカバー部４１とこのカバー部４１に連なる頂壁４２とを備えた有頂筒状に形成されている。このカバー部４１の内側には、外側から順に、それぞれカバー部４１と同軸の円筒状に形成された、係合筒部４３、第２戻し側切替え筒部４４、排出側切替え筒部４５が一体に設けられている。
【００２８】
一方、図２、図３に示すように、装着キャップ２０の天壁２２には、外側から順に、それぞれノズルヘッド４０側に向けて突出するとともに口部１１と同軸の円筒状に形成された、戻し側シール筒部５１、第１戻し側切替え筒部５２、排出側シール筒部５３が一体に設けられている。また、排出側シール筒部５３の内側には、口部１１の軸線上に位置してノズルヘッド４０の側に向けて突出する円柱状の排出側切替え軸５４が一体に設けられている。なお、排出側切替え軸５４は円柱状に限らず、例えば円筒状に形成することもできる。
【００２９】
ノズルヘッド４０の係合筒部４３は装着キャップ２０の戻し側シール筒部５１の外側に遊嵌状態でアンダーカット係合している。ノズルヘッド４０の第２戻し側切替え筒部４４は、装着キャップ２０に設けられた第１戻し側切替え筒部５２と戻し側シール筒部５１との間に回動自在に嵌合するとともに、戻し側シール筒部５１に対してアンダーカット係合している。つまり、第２戻し側切替え筒部４４は、その内周面において装着キャップ２０の第１戻し側切替え筒部５２の外周面に第１戻し側切替え筒部５２に対して回動自在に嵌合するとともに、その外周面において戻し側シール筒部５１の内周面に戻し側シール筒部５１に対して回動自在に嵌合し且つアンダーカット係合している。なお、第２戻し側切替え筒部４４の外周面と戻し側シール筒部５１の内周面との間は、これらが全周に亘って互いに摺動可能に当接することで液密にシールされており、第２戻し側切替え筒部４４の内周面と第１戻し側切替え筒部５２の外周面との間は、これらが後述する第１戻し側切欠き部６４および第２戻し側切欠き部６５以外の部分において全周に亘って互いに摺動可能に当接することで液密にシールされている。また、ノズルヘッド４０の排出側切替え筒部４５は、装着キャップ２０に設けられた排出側切替え軸５４と排出側シール筒部５３との間に回動自在に嵌合するとともに、排出側シール筒部５３に対してアンダーカット係合している。つまり、排出側切替え筒部４５は、その内周面において装着キャップ２０の排出側切替え軸５４の外周面に排出側切替え軸５４に対して回動自在に嵌合するとともに、その外周面において装着キャップ２０の排出側シール筒部５３の内周面に排出側シール筒部５３に対して回動自在に嵌合し且つアンダーカット係合している。なお、排出側切替え筒部４５の外周面と排出側シール筒部５３の内周面との間は、これらが全周に亘って互いに摺動可能に当接することで液密にシールされており、排出側切替え筒部４５の内周面と排出側切替え軸５４の外周面との間は、これらが後述する第１排出側切欠き部６１および第２排出側切欠き部６２以外の部分において全周に亘って互いに摺動可能に当接することで液密にシールされている。これにより、ノズルヘッド４０は装着キャップ２０に対して抜け止めされるとともに、装着キャップ２０に対して容器本体１０の口部１１の軸心を中心として、図３に示す開位置と該開位置から図３中で時計回り方向に９０度回転した閉位置（図６参照）との間で回動自在となっている。
【００３０】
図２に示すように、ノズルヘッド４０には、側方やや上方に向けて突出するノズル４６が一体に設けられている。排出側切替え筒部４５の内側は排出孔２８に連通する排出側流路４７となっており、ノズル４６はこの排出側流路４７を介して排出孔２８に連通している。なお、排出孔２８は排出側切替え軸５４と排出側シール筒部５３との間に開口している。また、ノズルヘッド４０の排出側切替え筒部４５と第２戻し側切替え筒部４４との間は戻し流路４８となっており、ノズル４６はこの戻し流路４８を介して戻し孔２９に連通している。なお、戻し孔２９は第１戻し側切替え筒部５２と戻し側シール筒部５１との間に開口している。
【００３１】
図２、図３に示すように、ノズル４６と排出孔２８の間に設けられた排出側流路４７には、ノズルヘッド４０が開位置のときに排出孔２８とノズル４６の内部通路とを連通し、ノズルヘッド４０が閉位置とされたときにノズル４６の内部通路と排出孔２８との連通を遮断する排出側開閉機構６０が設けられている。この排出側開閉機構６０は、排出側切替え軸５４に設けられる一対の第１排出側切欠き部６１と、排出側切替え筒部４５に設けられる一対の第２排出側切欠き部６２とを有して構成されている。
【００３２】
排出側切替え軸５４に設けられる一対の第１排出側切欠き部６１は、それぞれ排出側切替え軸５４の外周面にその軸方向に沿って延びる溝状に形成され、互いに点対称位置に配置されている。これらの第１排出側切欠き部６１の周方向での開口幅は、それぞれ全周の１／４以下つまり９０度以下の角度範囲とされている。また、これらの第１排出側切欠き部６１は、排出側切替え軸５４のノズル４６側を向く上端部で開放されるとともに排出側切替え軸５４の軸方向の略中間位置で止められている。
【００３３】
一方、排出側切替え筒部４５に設けられる一対の第２排出側切欠き部６２は、それぞれ排出側切替え筒部４５の内周面にその軸方向に沿って延びる溝状に形成され、互いに点対称位置に配置されている。これらの第２排出側切欠き部６２の周方向での開口幅は、それぞれ全周の１／４以下つまり９０度以下の角度範囲とされている。また、これらの第２排出側切欠き部６２は、排出側切替え筒部４５の排出孔２８の側を向く下端部で開放されるとともに排出側切替え筒部４５の軸方向の略中間位置で止められ、その一部が第１排出側切欠き部６１に対して軸方向範囲が重複するようなっている。
【００３４】
図２、図３に示すように、ノズルヘッド４０が開位置のときには、一対の第１排出側切欠き部６１は、それぞれ対応する第２排出側切欠き部６２と周方向位置が一致し、互いに接続される。これにより、第１排出側切欠き部６１および第２排出側切欠き部６２を介して排出孔２８がノズル４６に連通される。一方、図５、図６に示すように、ノズルヘッド４０が閉位置にまで回動されると、一対の第１排出側切欠き部６１は、それぞれ対応する第２排出側切欠き部６２に対して周方向に９０度ずれて互いの接続が解除され、排出孔２８はノズル４６との連通が遮断される。
【００３５】
図２、図３に示すように、ノズル４６と戻し孔２９との間に設けられた戻し流路４８には、ノズルヘッド４０が開位置のときに戻し孔２９とノズル４６とを連通し、ノズルヘッド４０が閉位置とされたときにノズル４６と戻し孔２９との連通を遮断する戻し側開閉機構６３が設けられている。この戻し側開閉機構６３は、第１戻し側切替え筒部５２に設けられる一対の第１戻し側切欠き部６４と、第２戻し側切替え筒部４４に設けられる一対の第２戻し側切欠き部６５とを有して構成されている。
【００３６】
第１戻し側切替え筒部５２に設けられる一対の第１戻し側切欠き部６４は、それぞれ第１戻し側切替え筒部５２の一部を周方向に所定の範囲で切り欠いて構成され、互いに点対称位置に配置されている。これらの第１戻し側切欠き部６４の周方向での開口幅は、それぞれ全周の１／４以下つまり９０度以下の角度範囲とされている。また、これらの第１戻し側切欠き部６４は、第１戻し側切替え筒部５２のノズル４６側を向く上端部で開放されるとともに第１戻し側切替え筒部５２の軸方向の略中間位置で止められている。
【００３７】
一方、第２戻し側切替え筒部４４に設けられる一対の第２戻し側切欠き部６５は、それぞれ第２戻し側切替え筒部４４の内周面にその軸方向に沿って延びる溝状に形成され、互いに点対称位置に配置されている。これらの第２戻し側切欠き部６５の周方向での開口幅は、それぞれ全周の１／４以下つまり９０度以下の角度範囲とされている。また、これらの第２戻し側切欠き部６５は、第２戻し側切替え筒部４４の戻し孔２９の側を向く下端部で開放されるとともに第２戻し側切替え筒部４４の軸方向の略中間位置で止められ、その一部が第１戻し側切欠き部６４に対して軸方向範囲が重複するようなっている。
【００３８】
図２、図３に示すように、ノズルヘッド４０が開位置のときには、一対の第１戻し側切欠き部６４は、それぞれ対応する第２戻し側切欠き部６５と周方向位置が一致し、互いに接続される。これにより、第１戻し側切欠き部６４および第２戻し側切欠き部６５を介して戻し孔２９がノズル４６に連通される。一方、図５、図６に示すように、ノズルヘッド４０が閉位置にまで回動されると、一対の第１戻し側切欠き部６４は、それぞれ対応する第２戻し側切欠き部６５に対して周方向に９０度ずれて互いの接続が解除され、戻し孔２９はノズル４６との連通が遮断される。
【００３９】
図３、図４に示すように、装着キャップ２０には開側ストッパ７０および閉側ストッパ７１が設けられている。開側ストッパ７０および閉側ストッパ７１は、それぞれ装着キャップ２０の戻し側シール筒部５１の根元部分から径方向外側に向けて突出して設けられており、その先端はノズルヘッド４０のカバー部４１の内周面に対向している。開側ストッパ７０と閉側ストッパ７１は、本実施の形態においては、平面視で線対称となるように配置されている。
【００４０】
一方、図３、図４に示すように、ノズルヘッド４０のカバー部４１の内周面には開側当接片７２と閉側当接片７３が一体に設けられている。開側当接片７２と閉側当接片７３は、互いに周方向に約９０度ずれて配置されている。図３に示すように、ノズルヘッド４０が閉位置の側から回動して開位置にまで達すると、開側当接片７２が開側ストッパ７０に当接して、ノズルヘッド４０の開位置を超えた回動が阻止される。一方、図６に示すように、ノズルヘッド４０が開位置の側から回動して閉位置にまで達すると、閉側当接片７３が閉側ストッパ７１に当接して、ノズルヘッド４０の閉位置を越えた回動が阻止される。これにより、ノズルヘッド４０の装着キャップ２０に対する回動範囲が、開位置と閉位置との間に規制されている。
【００４１】
また、図３、図４に示すように、装着キャップ２０には、開側ストッパ７０に隣接する開側乗越え突起７４と、閉側ストッパ７１に隣接する閉側乗越え突起７５が一体に設けられている。開側乗越え突起７４は開側ストッパ７０に対してその径方向外側への突出高さが低く形成されるとともに周方向に滑らかに湾曲する形状に形成され、これにより、ノズルヘッド４０が開位置に向けて回動する際に開側当接片７２が開側乗越え突起７４を乗り越えることができるようになっている。また、開側乗越え突起７４には係止凹部７４ａが設けられ、ノズルヘッド４０が開位置となると、開側当接片７２が係止凹部７４ａに配置されて開側ストッパ７０と開側乗越え突起７４の間で周方向に係止されるようになっている。このような構成により、ノズルヘッド４０を開位置に保持することができる。
【００４２】
同様に、閉側乗越え突起７５は閉側ストッパ７１に対してその径方向外側への突出高さが低く形成されるとともに周方向に滑らかに湾曲する形状に形成され、これにより、ノズルヘッド４０が閉位置に向けて回動する際に閉側当接片７３が閉側乗越え突起７５を乗り越えることができるようになっている。また、閉側乗越え突起７５には係止凹部７５ａが設けられ、図６に示すように、ノズルヘッド４０が閉位置となると、閉側当接片７３が係止凹部７５ａに配置されて閉側ストッパ７１と閉側乗越え突起７５の間で周方向に係止されるようになっている。このような構成により、ノズルヘッド４０を閉位置に保持することができる。
【００４３】
さらに、図３に示すように、装着キャップ２０には薄板状の音出し片７６が設けられている。この音出し片７６は薄い板状に形成され、装着キャップ２０の戻し側シール筒部５１の根元部分の、一対のストッパ７０、７１の間の周方向中間位置から、周方向に垂直な姿勢で径方向外側に向けて突出している。一方、ノズルヘッド４０には一対の音出しリブ７７が設けられている。これらの音出しリブ７７は、それぞれノズルヘッド４０のカバー部４１の内周面に軸方向に延びるとともに径方向内側に向けて突出するリブ状に形成され、互いに周方向に９０度以下の角度でずれて配置されている。音出し片７６は、ノズルヘッド４０が開位置から閉位置に向けて回動を開始する際に一方の音出しリブ７７により弾かれて弾き音を発するとともに、ノズルヘッド４０が閉位置に達する直前に他方の音出しリブ７７により弾かれて弾き音を発する。また、音出し片７６は、ノズルヘッド４０が閉位置から開位置に向けて回動を開始する際に他方の音出しリブ７７により弾かれて弾き音を発するとともに、ノズルヘッド４０が開位置に達する直前に一方の音出しリブ７７により弾かれて弾き音を発する。このような音出し片７６および音出しリブ７７を設けたことにより、ノズルヘッド４０が開位置または閉位置に達したことを、ユーザに音で知らせることができる。
【００４４】
なお、音出し片７６をノズルヘッド４０の側に設け、音出しリブ７７を装着キャップ２０の側に設ける構成とすることもできる。
【００４５】
このような構成の泡噴出容器１では、図２、図３に示すように、ノズルヘッド４０が開位置とされると、排出側開閉機構６０が開状態となってノズル４６と排出孔２８とが連通されるとともに、戻し側開閉機構６３が開状態となってノズル４６と戻し孔２９とが連通され、内容液の噴出が可能な使用可能状態とされる。なお、ノズルヘッド４０が開位置のときには、ノズル４６は楕円断面の容器本体１０の長径方向側となる側方に向けられる。
【００４６】
ノズルヘッド４０が開位置とされた状態で、容器本体１０の胴部１２が圧搾（スクイズ）されると、容器本体１０の収容空間Ｓに収容された内容液がチューブ２６と液導入孔２５ｅを介して混合室２５ｃに導入されるとともに容器本体１０内の空気が空気導入孔２５ｄを介して混合室２５ｃに導入され、混合室２５ｃの内部で内容液が空気と混合されて発泡し、泡状化される。また、泡状化された内容液は、発泡部材２７を通過することで、さらに発泡、整泡されながら排出孔２８から排出される。排出孔２８から排出された泡状の内容液は排出側流路４７を通ってノズル４６に達し、ノズル４６の開口から外部に泡状に噴出される。
【００４７】
内容液の噴出後に胴部１２の圧搾が解除されると、胴部１２が元の形状に復元することで容器本体１０内に負圧が発生し、この負圧により逆止弁３０が開いてノズル４６の内部に残留した内容液がノズル４６から吸引される空気（外気）とともに戻し流路４８および戻し孔２９を介して容器本体１０の内部に引き込まれる。サックバック機能とも呼ばれるこのような機能により、噴出後にノズル４６の内部に残留した内容液を空気とともに容器本体１０内に向けて引き込んで、当該内容液がノズル４６の開口から外部へ垂れ落ちることを防止することができる。
【００４８】
一方、不使用時等においては、ノズルヘッド４０を装着キャップ２０に対して９０度回動させて閉位置とすることにより、排出側開閉機構６０を閉状態としてノズル４６と排出孔２８との連通を遮断するとともに、戻し側開閉機構６３を閉状態としてノズル４６と戻し孔２９との連通を遮断することができる。なお、ノズルヘッド４０が閉位置のときには、ノズル４６は楕円断面の容器本体１０の短径方向側の側方に向けられる。
【００４９】
このように、ノズルヘッド４０を開位置から閉位置にまで回動させることにより、装着キャップ２０に設けられた排出孔２８および戻し孔２９のノズル４６に対する連通を遮断して容器本体１０をノズル４６に対して閉塞させることができる。これにより、ノズルヘッド４０を開位置から閉位置に回動させるだけの簡単な操作で、不使用時等において容器が横向きや倒立姿勢とされても、容器本体１０内の内容液がノズル４６を通して外部に漏れ出すことを確実に防止することができる。
【００５０】
また、使用の際には、ノズルヘッド４０を閉位置から開位置に回動させるだけの簡単な操作で、この泡噴出容器１を内容液の噴出が可能な状態に切り替えることができる。
【００５１】
本発明は前記実施の形態に限定されるものではなく、その要旨を逸脱しない範囲で種々変更可能であることはいうまでもない。
【００５２】
例えば、排出側開閉機構６０は、第１排出側切欠き部６１を排出側切替え筒部４５に設け、第２排出側切欠き部６２を排出側切替え軸５４に設ける構成とすることもでき、戻し側開閉機構６３は、第１戻し側切欠き部６４を第２戻し側切替え筒部４４に設け、第２戻し側切欠き部６５を第１戻し側切替え筒部５２に設ける構成とすることもできる。
【００５３】
さらに、区画部材２５に設けられる空気導入孔２５ｄや液導入孔２５ｅの構成、逆止弁３０の構成等は、その機能を有するものであれば、種々の構成のものとするができる。
【符号の説明】
【００５４】
１    泡噴出容器
１０    容器本体
１１    口部
１１ａ  係止突起
１１ｂ  回り止めリブ
１２    胴部
２０    装着キャップ
２１    外周壁
２１ａ  係止爪
２１ｂ  係止片
２２    天壁
２３    シール筒部
２４    接続筒部
２５    区画部材
２５ａ  本体部
２５ｂ  孔形成部
２５ｃ  混合室
２５ｄ  空気導入孔
２５ｅ  液導入孔
２５ｆ  傘状体
２６    チューブ
２７    発泡部材
２８    排出孔
２９    戻し孔
３０    逆止弁
３０ａ  保持部
３０ｂ  シール部
４０    ノズルヘッド
４１    カバー部
４２    頂壁
４３    係合筒部
４４    第２戻し側切替え筒部
４５    排出側切替え筒部
４６    ノズル
４７    排出側流路
４８    戻し流路
５１    戻し側シール筒部
５２    第１戻し側切替え筒部
５３    排出側シール筒部
５４    排出側切替え軸
６０    排出側開閉機構
６１    第１排出側切欠き部
６２    第２排出側切欠き部
６３    戻し側開閉機構
６４    第１戻し側切欠き部
６５    第２戻し側切欠き部
７０    開側ストッパ
７１    閉側ストッパ
７２    開側当接片
７３    閉側当接片
７４    開側乗越え突起
７４ａ  係止凹部
７５    閉側乗越え突起
７５ａ  係止凹部
７６    音出し片
７７    音出しリブ
Ｓ    収容空間
【図１】
2015196508.tif 000003
【図２】
2015196508.tif 000004
【図３】
2015196508.tif 000005
【図４】
2015196508.tif 000006
【図５】
2015196508.tif 000007
【図６】
2015196508.tif 000008